(57)【要約】【課題】簡単に立体視でき、且つ携帯型の電子機器に対しても扱いやすいモニター用ステレオビューアーを提供する。【解決手段】デジタルカメラ１の液晶ディスプレイ２上の画像を立体的に見るためのレンズ３、３と、レンズ３、３を支持するアーム４と、アーム４をデジタルカメラ１の一部に取り付けるための取付手段５とを備え、取付手段５を液晶ディスプレイ２に嵌め込む。【選択図】      図１
2004177431.tif 000002
【特許請求の範囲】
【請求項１】
電子機器の液晶ディスプレイ上の画像を立体的に見るためのレンズと、前記レンズを支持するアームと、前記アームを前記電子機器の一部に取り付けるための取付手段とを備えたことを特徴とするモニター用ステレオビューアー。
【請求項２】
前記レンズの光軸の向きと前記レンズの前記液晶ディスプレイからの距離を前記液晶ディスプレイの大きさなどに応じて変更できるように、光軸方向調整手段と、取付位置調整手段とを備えたことを特徴とする請求項１記載のモニター用ステレオビューアー。
【請求項３】
前記レンズは前記アームに折りたたみ可能に取り付けられたことを特徴とする請求項１から２のいずれかに記載のモニター用ステレオビューアー。
【請求項４】
前記レンズと前記液晶ディスプレイとの間の空間を囲む遮蔽部材を備えたことを特徴とする請求項１から３記載のモニター用ステレオビューアー。
【請求項５】
前記遮蔽部材は蛇腹状の部材で構成したことを特徴とする請求項４記載のモニター用ステレオビューアー。
【請求項６】
前記取付手段は前記電子機器の一部を挟み込む把持部材で構成され、前記把持部材は把持部分の厚さに応じて締付量を調整できる締付量調整手段を備えたことを特徴とする請求項１から５のいずれかに記載のモニター用ステレオビューアー。
【発明の詳細な説明】
【０００１】
【発明の属する技術分野】
本発明は、対象とする画像等を立体視するためのモニター用ステレオビューアーに関する。
【０００２】
【従来の技術】
対象物を立体的に見るための装置としては、例えば、従来から立体視スコープが知られている。この立体視スコープを使うことで、モニターなどに映し出した両眼視差の有る画像を立体視することができる（例えば特許文献１参照）。
【特許文献１】特開平１１−２９５６５７号公報
【０００３】
【発明が解決しようとする課題】
しかしながら、上述の立体視スコープでは、使用者は立体視スコープの接眼部分からモニター面までの距離が把握しにくいために、モニター面の画像を立体視できるようになるには「慣れ」が必要であった。また、例えば、使用者の手元で使う携帯型の電子機器では、液晶ディスプレイなどの画面が比較的小さいこともあり、立体視することが一層難しかった。
そこで、本発明は、上述の問題点を解決するためになされたもので、簡単に立体視でき、且つ携帯型の電子機器に対しても扱いやすいモニター用ステレオビューアーを提供することを目的とする。
【０００４】
【課題を解決するための手段】
上述の問題点を解決するために、請求項１記載の発明では、電子機器の液晶ディスプレイ上の画像を立体的に見るためのレンズと、前記レンズを支持するアームと、前記アームを前記電子機器の一部に取り付けるための取付手段とを備えたモニター用ステレオビューアーを最も主要な特徴とする。
請求項２記載の発明では、前記レンズの光軸の向きと前記レンズの前記液晶ディスプレイからの距離を前記液晶ディスプレイの大きさなどに応じて変更できるように、光軸方向調整手段と、取付位置調整手段とを備えたモニター用ステレオビューアーを主要な特徴とする。
請求項３記載の発明では、前記レンズは前記アームに折りたたみ可能に取り付けられたモニター用ステレオビューアーを主要な特徴とする。
請求項４記載の発明では、前記レンズと前記液晶ディスプレイの間の空間を囲む遮蔽部材を備えたモニター用ステレオビューアーを主要な特徴とする。
請求項５記載の発明では、前記遮蔽部材は蛇腹状の部材で構成したモニター用ステレオビューアーを主要な特徴とする。
請求項６記載の発明では、前記取付手段は前記電子機器の一部を挟み込む把持部材で構成され、前記把持部材は把持部分の厚さに応じて締付量を調整できる締付量調整手段を備えたモニター用ステレオビューアーを主要な特徴とする。
【０００５】
【発明の実施の形態】
以下、図面により本発明の実施の形態を詳細に説明する。図１は本発明の第１実施例を示すモニター用ステレオビューアー１００の側面図、図２はステレオビューアー１００の上面図、図３はステレオビューアー１００の正面図である。ステレオビューアー１００はこの例では、図２のように携帯型のデジタルカメラ１の液晶ディスプレイ２に取り付けて使用する。この例のデジタルカメラ１は両眼視差のある立体写真の撮影が可能で、画面の左右に２枚の写真を並べて表示することが可能である。なお、液晶ディスプレイ２はデジタルカメラ１の本体に折りたたみ可能に取り付けられている。
図１、図２及び図３に示すように、モニター用ステレオビュ−アー１００は液晶ディスプレイ２上の画像を立体的に見るためのレンズ３と、レンズ３を支持するアーム４と、アーム４をデジタルカメラ１の一部である液晶ディスプレイ２に取り付けるための取付手段５とで構成されている。レンズ３は左右に並んだ２つのレンズで構成されている。レンズ３はこの例では、プラスチックの枠体６内に納められ、枠体６にはアーム４が一体的に形成されている。アーム４の長さはモニター用ステレオビューアー１００を取付けたときにレンズ３、３と液晶ディスプレイ２の間が所定の距離となるように選ばれている。
そして、アーム４の枠体６とは反対側の端部には取付手段５が形成されている。取付手段５は液晶ディスプレイ２を挟み込む把持部材５ａ、５ｂを備えている。把持部材５ａ、５ｂは液晶ディスプレイ２の厚さとほぼ同じか僅かに短くなるように対向配置されている。液晶ディスプレイ２の一部に取付手段５を嵌め込むことでアーム４が液晶ディスプレイ２に固定される。
このように、モニター用ステレオビューアー１００はレンズ３、３が液晶ディスプレイ２から所定距離だけ離間した位置に配されるように取付手段５によって液晶ディスプレイ２に取り付けることができるので、使用者が慣れていなくても簡単に立体視でき、且つ携帯型の電子機器における取り扱いが容易である。
【０００６】
次に、本発明の第２実施例を示すモニター用ステレオビューアー２００について説明する。モニター用ステレオビューアー２００はモニター用ステレオビューアー１００においてレンズ３、３の光軸の向きとレンズ３、３の液晶ディスプレイ２からの距離を液晶ディスプレイ２の大きさなどに応じて変更できるように、光軸方向調整手段と、取付位置調整手段とを備えたものである。よって、モニター用ステレオビューアー１００と同様の部分については同一の符号を付し、その説明は省略する。
図５はモニター用ステレオビューアー２００の斜視図である。同図において、枠体６の両側端部には光軸方向調整手段１１が取り付けられ、アーム４の中央部付近には取付位置調整手段１２が設けられている。図６及び図７は枠体６の光軸方向調整手段１１近傍の断面図である。図６に示すように、モニター用ステレオビューアー２００では、並んで配された２つのレンズ３、３が単一の軸１３によって枠体６に対して回動（屈曲）可能に取り付けられている。レンズ３、３の周りにはレンズ枠３ａが嵌められており、レンズ枠３ａの近傍に光軸方向調整手段１１、１１が設けられている。光軸方向調整手段１１は調整ネジ１４と、バネ１５とで構成されている。
バネ１５は枠体６とレンズ枠３ａとの間に配され、図６において、レンズ枠３ａを上方（調整ネジ１４の向き）へ付勢している。そして、レンズ枠３ａを挟んでバネ１５の反対側に調整ネジ１４が配されている。調整ネジ１４は枠体６に設けた支持穴内に螺合し、ねじの締付量に応じてレンズ枠３ａを軸１３を中心として回動させることができる。例えば、図７のように、調整ネジ１４を緩めればレンズ枠３ａがバネ１５に付勢されてレンズ３、３は傾いた状態となる。このようにして、レンズ３、３の光軸の向きが変えられる。
図８及び図９は取付位置調整手段１２の斜視図である。図８に示すように、取付位置調整手段１２は枠体６に一体的に形成されたアーム１６と、アーム１６内に収納されて長手方向へ相対移動可能に取り付けられたアーム１７と、アーム１７をアーム１６に固定するための固定ネジ１８とで構成されている。アーム１７はアーム１６に対して摺動自在であり、取付手段５からレンズ３、３までの距離を任意の値に設定することができる。例えば、図９はアーム１７を引き出して、取付手段５からレンズ３、３までの距離が長くなるように設定した状態を示している。
このように、モニター用ステレオビューアー２００は光軸方向調整手段１１と取付位置調整手段１２とを備え、液晶ディスプレイ２の大きさや液晶ディスプレイ２とレンズ３、３の間の距離に応じてレンズ３、３の光軸方向やレンズ３、３の位置を変更することができるので、使用できる電子機器の種類の幅を広げることができる。
【０００７】
次に、本発明の第３実施例を示すモニター用ステレオビューアー３００について説明する。モニター用ステレオビューアー３００はモニター用ステレオビューアー１００においてレンズ３、３を折りたためるように取り付けたものである。モニター用ステレオビューアー１００と同様の部分については同一の符号を付し、その説明は省略する。
図１０はモニター用ステレオビューアー３００の側面図である。同図において、レンズ３、３を納めた枠体６は軸２１によってアーム４に回動自在に取り付けられている。したがって、モニター用ステレオビューアー３００を使わないときは、レンズ３、３（枠体６）を図の２点鎖線の位置まで折りたたむことができるので、携帯性を向上させることができる。なお、この例では、モニター用ステレオビューアー１００において、レンズ３、３が回動できるように構成した例を説明したが、モニター用ステレオビューアー２００においても同様の構成を適用することができる。
【０００８】
次に、本発明の第４実施例を示すモニター用ステレオビューアー４００について説明する。モニター用ステレオビューアー４００はモニター用ステレオビューアー１００においてレンズ３、３と液晶ディスプレイ２の間の空間を囲む遮蔽部材を備えたものである。なお、モニター用ステレオビューアー１００と同様の部分については同一の符号を付し、その説明は省略する。
図１１はモニター用ステレオビューアー４００の斜視図であり、図１２はその断面図である。図１１及び図１２に示すように、モニター用ステレオビューアー４００では、遮蔽部材としての蛇腹材３１がレンズ３、３と液晶ディスプレイ２の間の空間を囲むようにして配される。蛇腹材３１は枠体６の液晶ディスプレイ２と対向する面に取付固定され、未使用時には、図１３及び図１４のように、蛇腹材３１を折りたたんでおくことができる
したがって、蛇腹材３１を下ろした状態では、液晶ディスプレイ２の画像以外のものが視界に入ってくるのを防止することができるので、レンズ３、３を通しての立体視に集中しやすくなり、立体視が容易になる。また、遮蔽部材として蛇腹材３１を用いており、未使用時には折りたたむことができるので、形態性に優れている。なお、この例では、モニター用ステレオビューアー１００において、遮蔽部材を備えた例を説明したが、モニター用ステレオビューアー２００や３００においても同様の構成を適用することができる。
【０００９】
次に、本発明の第５実施例を示すモニター用ステレオビューアー５００について説明する。モニター用ステレオビューアー５００はモニター用ステレオビューアー２００におけるアーム１７に対して交換用アームを用意し、交換用アームの取付手段を把持部材で構成し、把持部分の厚さに応じて締付量を調整できる締付量調整手段を備えたものである。なお、モニター用ステレオビューアー１００と同様の部分については同一の符号を付し、その説明は省略する。
図１５はモニター用ステレオビューアー５００の斜視図であり、図１６はその断面図である。図１５及び図１６に示すように、アーム１６にはモニター用ステレオビューアー２００のアーム１７に代えてアーム４２が取り付けられる。アーム４２の把持部材５ａには締付量調整手段４１が配されている。締付量調整手段４１は先端に押圧用の円盤が取り付けられた締付ネジである。把持部材５ａと把持部材５ｂはモニター用ステレオビューアー２００に比べるとその間隔が広くとってあり、例えば、図１７のように、比較的厚めのカメラ本体を把持することができるようになっている。
したがって、モニター用ステレオビューアー５００は締付量調整手段４１が設けられたアーム４２を備えており、使用する電子機器の取付部分の厚さに応じて締付量を調整できるので、様々な電子機器にモニター用ステレオビューアー５００を取り付けることができ、便利である。また、モニター用ステレオビューアーの開発においては、本体をいくつも容易する必要がないので、開発コストが削減される。なお、この例では、モニター用ステレオビューアー２００において、締付量調整手段４１を構成した例を説明したが、モニター用ステレオビューアー２００や４００においても同様の構成を適用することができる。
【００１０】
【発明の効果】
以上説明したように、請求項１によれば、レンズが液晶ディスプレイから所定距離だけ離間した位置に配されるように取付手段によって液晶ディスプレイに取り付けることができるので、使用者が慣れていなくても簡単に立体視でき、且つ携帯型の電子機器に対して扱いやすいという効果がある。
請求項２によれば、光軸方向調整手段と取付位置調整手段とを備えており、液晶ディスプレイの大きさなどに応じてレンズの光軸方向やレンズの位置を変更することができるので、使用できる電子機器の種類の幅を広げることができる。
請求項３によれば、モニター用ステレオビューアーを使わないときは、レンズ（枠体）を折りたたむことができるので、携帯性を向上させることができる。
請求項４によれば、液晶ディスプレイの画像以外のものが視界に入ってくるのを防止することができるので、レンズを通しての立体視に集中しやすくなり、立体視が容易になる。
請求項５によれば、遮蔽部材として蛇腹材を用いており、未使用時には折りたたむことができるので、形態性に優れている。
請求項６によれば、使用する電子機器の取付部分の厚さに応じて締付量を調整できるので、様々な電子機器にモニター用ステレオビューアーを取り付けることができ、便利である。また、モニター用ステレオビューアーの開発においては、本体をいくつも容易する必要がないので、開発コストが削減される。
【図面の簡単な説明】
【図１】モニター用ステレオビューアー１００の側面図である。
【図２】モニター用ステレオビューアー１００の上面図である。
【図３】モニター用ステレオビューアー１００の正面図である。
【図４】モニター用ステレオビューアー１００の斜視図である。
【図５】モニター用ステレオビューアー２００の斜視図である。
【図６】枠体６の断面図（光軸方向がまっすぐな状態）である。
【図７】枠体６の断面図（光軸方向が斜めの状態）である。
【図８】取付位置調整手段１２近傍の斜視図（アーム１７を収納した状態）である。
【図９】取付位置調整手段１２近傍の斜視図（アーム１７を引き出した状態）である。
【図１０】モニター用ステレオビューアー３００の側面図である。
【図１１】モニター用ステレオビューアー４００の斜視図（蛇腹材３１で覆った状態）である。
【図１２】モニター用ステレオビューアー４００の断面図（蛇腹材３１で覆った状態）である。
【図１３】モニター用ステレオビューアー４００の斜視図（蛇腹材３１を収納した状態）である。
【図１４】モニター用ステレオビューアー４００の断面図（蛇腹材３１を収納した状態）である。
【図１５】モニター用ステレオビューアー５００（締付量調整手段４１近傍）の斜視図である。
【図１６】締付量調整手段４１近傍の断面図である。
【図１７】モニター用ステレオビューアー５００の斜視図（カメラ本体に取り付けた状態）である。
【符号の説明】
１  デジタルカメラ
２  液晶ディスプレイ
３  レンズ
３ａ  レンズ枠
４、１６、１７、４２  アーム
５  取付手段
５ａ、５ｂ  把持部材
６  枠体
１１  光軸方向調整手段
１２  取付位置調整手段
１３、２１  軸
１４  調整ネジ
１５  バネ
１８  固定ネジ
３１  蛇腹材
４１  締付量調整手段
【図１】
2004177431.tif 000003
【図２】
2004177431.tif 000004
【図３】
2004177431.tif 000005
【図４】
2004177431.tif 000006
【図５】
2004177431.tif 000007
【図６】
2004177431.tif 000008
【図７】
2004177431.tif 000009
【図８】
2004177431.tif 000010
【図９】
2004177431.tif 000011
【図１０】
2004177431.tif 000012
【図１１】
2004177431.tif 000013
【図１２】
2004177431.tif 000014
【図１３】
2004177431.tif 000015
【図１４】
2004177431.tif 000016
【図１５】
2004177431.tif 000017
【図１６】
2004177431.tif 000018
【図１７】
2004177431.tif 000019